(57)【特許請求の範囲】
【請求項１】
上方から内容物を取り出し可能な２つの収容部を一体に備える縦長な直方体状の収納箱において、
前記２つの収容部のそれぞれが、
上方を塞ぐための略矩形の上面パネル部と、
該上面パネル部に連続して設けられ、正面を塞ぐための略矩形の正面パネル部と、
該正面パネル部および前記上面パネル部に連続して設けられ、外側面を塞ぐための略矩形の外側面パネル部と、
前記上面パネル部に連続するとともに前記正面パネル部に対向するように設けられ、後面を塞ぐための略矩形の後面パネル部と、
該後面パネル部に連続するとともに前記外側面パネル部に対向するように設けられ、内側面を形成するための略矩形の内側面パネル部と、
前記正面パネル部に連続するとともに前記上面パネル部に対向するように設けられ、下方を塞ぐための略矩形の下面パネル部と、
前記上面パネル部に連続して設けられ、前記収容部の前記後面パネル部に沿って差し込んで前記上面パネル部で前記収容部を閉じた状態に留めるための上面パネル用差込部と、
前記下面パネル部に連続して設けられ、前記収容部の前記後面パネル部に沿って差し込んで前記下面パネル部で前記収容部を閉じた状態に留めるための下面パネル用差込部とを備え、
前記２つの収容部にそれぞれ備える正面パネル部が一体に形成されるとともに、
前記２つの収容部にそれぞれ備える内側面パネル部の一端に連続して接合部を設け、該接合部を前記正面パネル部の裏面に固定することを特徴とする、収納箱。
【請求項２】
前記２つの収容部にそれぞれ備える前記下面パネル部および前記下面パネル用差込部が一体に形成されることを特徴とする、請求項１に記載の収納箱。
【請求項３】
前記２つの収容部にそれぞれ備える前記上面パネル部および前記上面パネル用差込部が一体に形成されることを特徴とする、請求項１に記載の収納箱。
【請求項４】
前記２つの収容部の前記後面パネル部に切り欠きを設けることを特徴とする、請求項１に記載の収納箱。
【請求項５】
前記２つの収容部が一定の距離をもって並列に設けられた収納箱であって、前記２つの収容部の間であり、かつ、前記正面パネル部にミシン目またはジッパーを備え、該ミシン目またはジッパーによって前記２つの収容部が分離可能であることを特徴とする、請求項１に記載の収納箱。
【請求項６】
一枚の板状部材上に折曲部を介して複数の略矩形のパネル部を一体に備え、前記折曲部に沿って折り曲げて組み立てる、２つの収容部を備える縦長な直方体状の収納箱において、
正面パネル部の両側にそれぞれ外側面パネル部を、
該それぞれの外側面パネル部の、前記正面パネル部と反対側に後面パネル部を、
該それぞれの後面パネル部の、前記外側面パネル部と反対側に内側面パネル部を、
該それぞれの内側面パネル部の、前記後面パネル部と反対側に接合パネル部を、
前記正面パネル部の上側に上面パネル部を、
該上面パネル部の上側に上面パネル用差込部を、
前記正面パネル部の下側に下面パネル部を、
該下面パネル部の下側に下面パネル用差込部を備える収納箱であって、
前記２つの接合パネル部を前記内側面パネル部に合わせるよう内側に折り曲げた後、
前記接合パネル部の外面に接着剤を塗布し、前記後面パネル部とともに前記外側面パネル部に合わせるように内側に折り曲げて前記接合パネル部を前記正面パネル部の裏面側に貼着した後、
前記外側面パネル部を前記正面パネル部および前記後面パネル部に対して内側に略直角に、かつ、前記内側面パネル部を前記正面パネル部および前記後面パネル部に対して内側に略直角になるように折り曲げ、
前記下面パネル部を前記正面パネル部に対して内側に略直角に折り曲げ、さらに、前記下面パネル用差込部を前記下面パネル部に対して内側に折り曲げて、前記下面パネル用差込部を前記後面パネル部の内側に差し込む一方、
前記上面パネル部を前記正面パネル部に対して内側に略直角に折り曲げ、さらに、前記上面パネル用差込部を前記上面パネル部に対して内側に折り曲げて、前記上面パネル用差込部を前記後面パネル部の内側に差し込んで、前記２つの収容部を形成した収納箱であって、
前記２つの収容部にそれぞれ備える２つの正面パネル部が一体に形成され、
前記２つの収容部にそれぞれ備える２つの上面パネル部が一体に形成され、
前記２つの収容部にそれぞれ備える２つの下面パネル部が一体に形成されることを特徴とする、収納箱。
【請求項７】
前記２つの収容部の前記後面パネル部に切り欠きを設けることを特徴とする、請求項６に記載の収納箱。
【請求項８】
前記２つの収容部が一定の距離をもって並列に設けられた収納箱であって、前記２つの収容部の間であり、かつ、前記正面パネル部にミシン目またはジッパーを備え、該ミシン目またはジッパーによって前記２つの収容部が分離可能であることを特徴とする、請求項６に記載の収納箱。
【発明の詳細な説明】
【技術分野】
【０００１】
本発明は、上方から内容物を取り出し可能な２つの収容部を一体に備える縦長な直方体状の収納箱に関する。
【背景技術】
【０００２】
従来、直方体状で縦長に形成される収納箱は、正面を塞ぐための正面パネル部と、上方を塞ぐための上面パネル部と、両側面を塞ぐための一対の側面パネル部と、後面を塞ぐための後面パネル部と、下方を塞ぐための下面パネル部などで構成され、内部に収容部を形成している。収容部には、例えば、細長いお菓子などを立てた状態で収納する。そして、上部に備える上面パネル（蓋）を持ち上げて、お菓子（内容物）を収納箱から上方に取り出した後、再び、上面パネルを閉じる。
【０００３】
このような収納箱では、例えば、２つの異なる種類のお菓子を区別して収納したいという要請がある。このような場合、収容部に仕切部を設けて、収容部を縦方向に２分割する必要がある。例えば、特許文献１では、収容部に仕切部を備え、収容部を２分割した収納箱が開示されている。
【先行技術文献】
【特許文献】
【０００４】
【特許文献１】特開２００７−２９０７４９号公報
【発明の概要】
【発明が解決しようとする課題】
【０００５】
しかし、特許文献１の収納箱は、仕切部が固定されておらず、この技術を上記背高の収納箱に適用した場合、仕切部が動いてしまい、お菓子を充填する工程において、効率を悪くしてしまうという問題があった。
【０００６】
そこでこの発明の目的は、内容物を充填する作業を効率化した収納箱を提供することにある。
【課題を解決するための手段】
【０００７】
このため請求項１に記載の発明は、上方から内容物を取り出し可能な２つの収容部を一体に備える縦長な直方体状の収納箱において、
前記２つの収容部のそれぞれが、
上方を塞ぐための略矩形の上面パネル部と、
該上面パネル部に連続して設けられ、正面を塞ぐための略矩形の正面パネル部と、
該正面パネル部および前記上面パネル部に連続して設けられ、外側面を塞ぐための略矩形の外側面パネル部と、
前記上面パネル部に連続するとともに前記正面パネル部に対向するように設けられ、後面を塞ぐための略矩形の後面パネル部と、
該後面パネル部に連続するとともに前記外側面パネル部に対向するように設けられ、内側面を形成するための略矩形の内側面パネル部と、
前記正面パネル部に連続するとともに前記上面パネル部に対向するように設けられ、下方を塞ぐための略矩形の下面パネル部と、
前記上面パネル部に連続して設けられ、前記収容部の前記後面パネル部に沿って差し込んで前記上面パネル部で前記収容部を閉じた状態に留めるための上面パネル用差込部と、
前記下面パネル部に連続して設けられ、前記収容部の前記後面パネル部に沿って差し込んで前記下面パネル部で前記収容部を閉じた状態に留めるための下面パネル用差込部とを備え、
前記２つの収容部にそれぞれ備える正面パネル部が一体に形成されるとともに、
前記２つの収容部にそれぞれ備える内側面パネル部の一端に連続して接合部を設け、該接合部を前記正面パネル部の裏面に固定することを特徴とする。
【０００８】
請求項２に記載の発明は、請求項１に記載の収納箱において、前記２つの収容部にそれぞれ備える前記下面パネル部および前記下面パネル用差込部が一体に形成されることを特徴とする。
【０００９】
請求項３に記載の発明は、請求項１に記載の収納箱において、前記２つの収容部にそれぞれ備える前記上面パネル部および前記上面パネル用差込部が一体に形成されることを特徴とする。
【００１０】
請求項４に記載の発明は、請求項１に記載の収納箱において、前記２つの収容部の前記後面パネル部に切り欠きを設けることを特徴とする。
【００１１】
請求項５に記載の発明は、請求項１に記載の収納箱において、前記２つの収容部が一定の距離をもって並列に設けられた収納箱であって、前記２つの収容部の間であり、かつ、前記正面パネル部にミシン目またはジッパーを備え、該ミシン目またはジッパーによって前記２つの収容部が分離可能であることを特徴とする。
【００１２】
請求項６に記載の発明は、一枚の板状部材上に折曲部を介して複数の略矩形のパネル部を一体に備え、前記折曲部に沿って折り曲げて組み立てる、２つの収容部を備える縦長な直方体状の収納箱において、
正面パネル部の両側にそれぞれ外側面パネル部を、
該それぞれの外側面パネル部の、前記正面パネル部と反対側に後面パネル部を、
該それぞれの後面パネル部の、前記外側面パネル部と反対側に内側面パネル部を、
該それぞれの内側面パネル部の、前記後面パネル部と反対側に接合パネル部を、
前記正面パネル部の上側に上面パネル部を、
該上面パネル部の上側に上面パネル用差込部を、
前記正面パネル部の下側に下面パネル部を、
該下面パネル部の下側に下面パネル用差込部を備える収納箱であって、
前記２つの接合パネル部を前記内側面パネル部に合わせるよう内側に折り曲げた後、
前記接合パネル部の外面に接着剤を塗布し、前記後面パネル部とともに前記外側面パネル部に合わせるように内側に折り曲げて前記接合パネル部を前記正面パネル部の裏面側に貼着した後、
前記外側面パネル部を前記正面パネル部および前記後面パネル部に対して内側に略直角に、かつ、前記内側面パネル部を前記正面パネル部および前記後面パネル部に対して内側に略直角になるように折り曲げ、
前記下面パネル部を前記正面パネル部に対して内側に略直角に折り曲げ、さらに、前記下面パネル用差込部を前記下面パネル部に対して内側に折り曲げて、前記下面パネル用差込部を前記後面パネル部の内側に差し込む一方、
前記上面パネル部を前記正面パネル部に対して内側に略直角に折り曲げ、さらに、前記上面パネル用差込部を前記上面パネル部に対して内側に折り曲げて、前記上面パネル用差込部を前記後面パネル部の内側に差し込んで、前記２つの収容部を形成した収納箱であって、
前記２つの収容部にそれぞれ備える２つの正面パネル部が一体に形成され、
前記２つの収容部にそれぞれ備える２つの上面パネル部が一体に形成され、
前記２つの収容部にそれぞれ備える２つの下面パネル部が一体に形成されることを特徴とする。
【００１３】
請求項７に記載の発明は、請求項６に記載の収納箱において、前記２つの収容部の前記後面パネル部に切り欠きを設けることを特徴とする。
【００１４】
請求項８に記載の発明は、請求項６に記載の収納箱において、前記２つの収容部が一定の距離をもって並列に設けられた収納箱であって、前記２つの収容部の間であり、かつ、前記正面パネル部にミシン目またはジッパーを備え、該ミシン目またはジッパーによって前記２つの収容部が分離可能であることを特徴とする。
【発明の効果】
【００１５】
請求項１に記載の発明によれば、上方から内容物を取り出し可能な２つの収容部を一体に備える縦長な直方体状の収納箱において、２つの収容部のそれぞれが、上方を塞ぐための略矩形の上面パネル部と、上面パネル部に連続して設けられ、正面を塞ぐための略矩形の正面パネル部と、正面パネル部および上面パネル部に連続して設けられ、外側面を塞ぐための略矩形の外側面パネル部と、上面パネル部に連続するとともに正面パネル部に対向するように設けられ、後面を塞ぐための略矩形の後面パネル部と、後面パネル部に連続するとともに外側面パネル部に対向するように設けられ、内側面を形成するための略矩形の内側面パネル部と、正面パネル部に連続するとともに上面パネル部に対向するように設けられ、下方を塞ぐための略矩形の下面パネル部と、上面パネル部に連続して設けられ、収容部の後面パネル部に沿って差し込んで上面パネル部で収容部を閉じた状態に留めるための上面パネル用差込部と、下面パネル部に連続して設けられ、収容部の後面パネル部に沿って差し込んで下面パネル部で収容部を閉じた状態に留めるための下面パネル用差込部とを備え、２つの収容部にそれぞれ備える正面パネル部が一体に形成されるとともに、２つの収容部にそれぞれ備える内側面パネル部（すなわち、２つの収容部の仕切部）の一端に連続して接合部を設け、接合部を正面パネル部の裏面に固定する。したがって、内側面パネル部が固定されることで、収容部に内容物を充填しやすくなり、製造工程の作業効率を向上させることができる。したがって、内容物を充填する作業を効率化した収納箱を提供することができる。
【００１６】
また、収容部に壊れやすいものを収容した場合に、内側面パネル部が設けられることで、正面パネル部、後面パネル部方向から押圧力が加わった場合であっても、内側面パネル部が押圧力に抵抗し、収納箱が撓んで押しつぶされるのを防ぐことができる。
【００１７】
請求項２に記載の発明によれば、２つの収容部にそれぞれ備える下面パネル部および下面パネル用差込部が一体に形成されるので、一度の動作で２つの収容部の下面を閉じることができ、作業が容易となる。
【００１８】
請求項３に記載の発明によれば、２つの収容部にそれぞれ備える上面パネル部および上面パネル用差込部が一体に形成されるので、一度の動作で２つの収容部の上面を閉じることができ、作業が容易となる。
【００１９】
請求項４に記載の発明によれば、２つの収容部の後面パネル部に切り欠きを設けるので、この切り欠き部分から容易に上面パネル用差込部に触れることができる。これによって、上面パネル用差込部をスライドさせることで、上面パネル部を容易に開いて収納箱の上面を開放させることができる。
【００２０】
請求項５に記載の発明によれば、２つの収容部が一定の距離をもって並列に設けられた収納箱であって、２つの収容部の間であり、かつ、正面パネル部にミシン目またはジッパーを備え、ミシン目またはジッパーによって２つの収容部が分離可能であるので、例えば、一方の収容部が不要になった場合にこれを切り離し、収納箱をコンパクトにすることができる。また、２つの収容部を別々の場所に保管することができる。なお、２つの収容部は分離してもそれぞれが６面を有し、箱としての機能を備えている。
【００２１】
請求項６に記載の発明によれば、一枚の板状部材上に折曲部を介して複数の略矩形のパネル部を一体に備え、折曲部に沿って折り曲げて組み立てる、２つの収容部を備える縦長な直方体状の収納箱において、正面パネル部の両側にそれぞれ外側面パネル部を、それぞれの外側面パネル部の、正面パネル部と反対側に後面パネル部を、それぞれの後面パネル部の、外側面パネル部と反対側に内側面パネル部を、それぞれの内側面パネル部の、後面パネル部と反対側に接合パネル部を、正面パネル部の上側に上面パネル部を、上面パネル部の上側に上面パネル用差込部を、正面パネル部の下側に下面パネル部を、下面パネル部の下側に下面パネル用差込部を備える収納箱であって、２つの接合パネル部を内側面パネル部に合わせるよう内側に折り曲げた後、接合パネル部の外面に接着剤を塗布し、後面パネル部とともに外側面パネル部に合わせるように内側に折り曲げて接合パネル部を正面パネル部の裏面側に貼着した後、外側面パネル部を正面パネル部および後面パネル部に対して内側に略直角に、かつ、内側面パネル部（すなわち、仕切部）を正面パネル部および後面パネル部に対して内側に略直角になるように折り曲げ、下面パネル部を正面パネル部に対して内側に略直角に折り曲げ、さらに、下面パネル用差込部を下面パネル部に対して内側に折り曲げて、下面パネル用差込部を後面パネル部の内側に差し込む一方、上面パネル部を正面パネル部に対して内側に略直角に折り曲げ、さらに、上面パネル用差込部を上面パネル部に対して内側に折り曲げて、上面パネル用差込部を後面パネル部の内側に差し込んで、２つの収容部を形成した収納箱であって、２つの収容部にそれぞれ備える２つの正面パネル部が一体に形成され、２つの収容部にそれぞれ備える２つの上面パネル部が一体に形成され、２つの収容部にそれぞれ備える２つの下面パネル部が一体に形成される。したがって、内側面パネル部（仕切部）が固定されることで、収納箱を組み立てやすくなり、製造工程を効率化することができる。
【００２２】
また、収容部に内容物を充填しやすくなり、製造工程の作業効率を向上させることができる。したがって、内容物を充填する作業を効率化した収納箱を提供することができる。
【００２３】
さらに、収容部に壊れやすいものを収容した場合に、内側面パネル部が設けられることで、正面パネル部、後面パネル部方向から押圧力が加わった場合であっても、内側面パネル部が押圧力に抵抗し、収納箱が撓んで押しつぶされるのを防ぐことができる。
【００２４】
請求項７に記載の発明によれば、２つの収容部の後面パネル部に切り欠きを設けるので、この切り欠き部分から容易に上面パネル用差込部に触れることができる。これによって、上面パネル用差込部をスライドさせることで、上面パネル部を容易に開いて収納箱の上面を開放させることができる。
【００２５】
請求項８に記載の発明によれば、２つの収容部が一定の距離をもって並列に設けられた収納箱であって、２つの収容部の間であり、かつ、正面パネル部にミシン目またはジッパーを備え、ミシン目またはジッパーによって２つの収容部が分離可能であるので、例えば、一方の収容部が不要になった場合にこれを切り離し、収納箱をコンパクトにすることができる。また、２つの収容部を別々の場所に保管することができる。なお、２つの収容部は分離してもそれぞれが６面を有し、箱としての機能を備えている。
【図面の簡単な説明】
【００２６】
【図１】この発明の収納箱の一例の斜視図である。
【図２】その、（ａ）は正面図、（ｂ）は背面図、（ｃ）は左側面図、（ｄ）は右側面図である。
【図３】その展開図である。
【図４】その寸法を示した展開図である。
【図５】（ａ）、（ｂ）は、図１〜４の収納箱を組み立てる手順を示す図である。
【図６】（ａ）はさらに、図１〜４の収納箱を組み立てる手順を示す図、（ｂ）は２つの内容物を充填する手順を示す図である。
【図７】この発明の収納箱の別の例の斜視図である。
【図８】その展開図である。
【図９】その寸法を示した展開図である。
【図１０】（ａ）は、図７〜９の収納箱を分離する様子を説明するための図、（ｂ）は分離後の収納箱を示す図である。
【図１１】この発明の収納箱のさらに別の例の斜視図である。
【図１２】その、（ａ）は正面図、（ｂ）は背面図、（ｃ）は左側面図、（ｄ）は右側面図である。
【図１３】その展開図である。
【図１４】その寸法を示した展開図である。
【図１５】（ａ）、（ｂ）はジッパーの詳細を示す図である。
【図１６】（ａ）、（ｂ）は、図１１〜１５の収納箱を組み立てる手順を示す図である。
【図１７】（ａ）はさらに、図１１〜１５の収納箱を組み立てる手順を示す図、（ｂ）は２つの内容物を充填する手順を示す図である。
【発明を実施するための形態】
【００２７】
図１〜４にはこの発明の収納箱の一例を示す。この例の収納箱１は、１つの板紙（ブランク）を適宜折り曲げて（縦長な）略直方体状に形成される。ブランクの材料としては、板紙の他に、紙を主体とした複合シート、プラスチックシートなど一定の厚みを持った折り曲げ性にすぐれた材料（部材）が挙げられる。
【００２８】
収納箱１は、２つの収容部、右収容部１０Ａ、左収容部１０Ｂを一体に、かつ、一定の距離をもって並列に備えてなる。収容箱１は、正面パネル部１２、右外側面パネル部１３Ａおよび左外側面パネル部１３Ｂ、右後面パネル部１４Ａおよび左後面パネル部１４Ｂ、右内側面パネル部１５Ａおよび左内側面パネル部１５Ｂ、上面パネル部１１、上面パネル用差込部１７、下面パネル部１６、下面パネル用差込部１８、右接合部（のりしろ部）１９Ａ、左接合部（のりしろ部）１９Ｂ、右上フラップ２０Ａおよび左上フラップ２０Ｂ、右下フラップ２１Ａおよび左下フラップ２１Ｂなどで構成される。
【００２９】
言い換えると、右収容部１０Ａは、正面パネル部１２、右外側面パネル部１３Ａ、右後面パネル部１４Ａ、右内側面パネル部１５Ａ、上面パネル部１１、上面パネル用差込部１７、下面パネル部１６、下面パネル用差込部１８、右接合部１９Ａ、右上フラップ２０Ａ、右下フラップ２１Ａを備える。また、左収容部１０Ｂは、正面パネル部１２、左外側面パネル部１３Ｂ、左後面パネル部１４Ｂ、左内側面パネル部１５Ｂ、上面パネル部１１、上面パネル用差込部１７、下面パネル部１６、下面パネル用差込部１８、左接合部１９Ｂ、左上フラップ２０Ｂ、左下フラップ２１Ｂを備える。
【００３０】
上面パネル部１１は、収納箱１の上面を塞ぐものであり、縦Ｗ２、横Ｌ１の矩形に形成される。この上面パネル部１１は、右収容部１０Ａと左収容部１０Ｂの上面を一体的に塞ぐものである。正面パネル部１２は、収納箱１の正面を塞ぐためのものであり、罫線Ｋ１１を挟んで上面パネル部１１に連続して設けられる。正面パネル部１２は、縦Ｗ１、横Ｌ１の矩形に形成される。この正面パネル部１２は、右収容部１０Ａと左収容部１０Ｂの正面を一体的に塞ぐものである。
【００３１】
なお、正面パネル１２の裏面側の中央付近にある符号ＡＴ１は、後述する右接合部１９Ａを接着する接着目標領域、符号ＡＴ２は、後述する左接合部１９Ｂを接着する接着目標領域である（接着目標領域ＡＴ１，ＡＴ２は、正面パネル１２の幅方向中央付近に縦方向に沿って設定する）。右外側面パネル部１３Ａは、収納箱１の右外側面を塞ぐためのものであり、罫線Ｋ２１を挟んで正面パネル部１２に連続して設けられる。左外側面パネル部１３Ｂは、収納箱１の左外側面を塞ぐためのものであり、罫線Ｋ２２を挟んで正面パネル部１２に連続して設けられる。右外側面パネル部１３Ａおよび左外側面パネル部１３Ｂはそれぞれ、縦Ｗ１、横Ｌ２の矩形に形成される。
【００３２】
右後面パネル部１４Ａは、収納箱１の後面の右半分を塞ぐためのものであり、罫線Ｋ３１を挟んで右外側面パネル部１３Ａに連続して設けられる。右後面パネル部１４Ａは、縦Ｗ１、横Ｌ３の矩形に切り欠き３０Ａを備えてなる。切り欠き３０Ａは、右後面パネル部１４Ａの上側角部で、かつ、罫線Ｋ３１と反対側に円弧状に形成される。また、右後面パネル部１４Ａの上下端に切り込みＣ１，Ｃ２を備える。切り込みＣ１は切り欠き３０Ａに連続して形成される。一方、切り込みＣ２は右後面パネル部１４Ａの下端から上部に向けて形成される。切り込みＣ１，Ｃ２の終点では、所定長さだけ右後面パネル部１４Ａの内側に入った位置に罫線Ｋ４１が形成される。なお、右後面パネル部１４Ａは、収納箱１の後面の右半分を構成するので、横幅Ｌ３は、正面パネル部１２の横幅Ｌ１のほぼ１／２となる。
【００３３】
一方、左後面パネル部１４Ｂは、収納箱１の後面の左半分を塞ぐためのものであり、罫線Ｋ３２を挟んで左外側面パネル部１３Ｂに連続して設けられる。左後面パネル部１４Ｂは、縦Ｗ１、横Ｌ３の矩形に切り欠き３０Ｂを備えてなる。切り欠き３０Ｂは、左後面パネル部１４Ｂの上側角部で、かつ、罫線Ｋ３２と反対側に円弧状に形成される。また、左後面パネル部１４Ｂの上下端に切り込みＣ１，Ｃ２を備える。切り込みＣ１は切り欠き３０Ｂに連続して形成される。一方、切り込みＣ２は左後面パネル部１４Ｂの下端から上部に向けて形成される。切り込みＣ１，Ｃ２の終点では、所定長さだけ左後面パネル部１４Ｂの内側に入った位置に罫線Ｋ４２が形成される。なお、左後面パネル部１４Ｂは、収納箱１の後面の左半分を構成するので、横幅Ｌ３は、正面パネル部１２の横幅Ｌ１のほぼ１／２となる。
【００３４】
右内側面パネル部１５Ａは、収納箱１の内側面（仕切部）を形成するためのものであり、罫線Ｋ４１を挟んで右後面パネル部１４Ａに連続して設けられる。左内側面パネル部１５Ｂは、収納箱１の内側面（仕切部）を形成するためのものであり、罫線Ｋ４２を挟んで左後面パネル部１４Ｂに連続して設けられる。右内側面パネル部１５Ａ、左内側面パネル部１５Ｂはそれぞれ、縦Ｗ１、横Ｌ４の矩形に円弧部３１Ａ，３１Ｂを備えてなる。円弧部３１Ａは、右内側面パネル部１５Ａの上側角部で、かつ、罫線Ｋ３１側（すなわち、切り欠き３０Ａ側）に円弧状に形成される。円弧部３１Ｂは、左内側面パネル部１５Ｂの上側角部で、かつ、罫線Ｋ３２側（すなわち、切り欠き３０Ｂ側）に円弧状に形成される。なお、右内側面パネル部１５Ａおよび左内側面パネル部１５Ｂは、収納箱１の内側面を構成するので、これらそれぞれと対向する位置にある右外側面パネル部１３Ａおよび左外側面パネル部１３Ｂとほぼ同一の横幅となる。
【００３５】
下面パネル部１６は、収納箱１の下方を塞ぐためのものであり、罫線Ｋ１２を挟んで正面パネル部１２に連続して設けられる。下面パネル部１６は縦Ｗ２、横Ｌ１の矩形に形成される。
【００３６】
上面パネル用差込部１７は、右収容部１０Ａの右後面パネル部１４Ａおよび左収容部１０Ｂの左後面パネル部１４Ｂに沿って差し込んで上面パネル部１１を右収容部１０Ａおよび左収容部１０Ｂに留めるためのものである。上面パネル用差込部１７は、罫線Ｋ５１を挟んで上面パネル部１１に連続して設けられ、縦Ｗ４、横Ｌ１の矩形に円弧部３２Ａ，３２Ｂ、嵌合部３２Ｃを備えてなる。円弧部３２Ａ，３２Ｂは、上面パネル用差込部１７の上側両角部（罫線Ｋ５１と反対側）に円弧状に形成される。嵌合部３２Ｃは、切り込み３２Ｃ１を備え、上面パネル部１１を閉じて上面パネル用差込部１７を右後面パネル部１４Ａと左後面パネル部１４Ｂとの間に差し込んだとき、切り込み３２Ｃ１が切り込みＣ１に嵌合するようになっている。なお、切り込み３２Ｃ１は、上面パネル用差込部１７の幅方向中央（幅Ｌ１の中間位置）に形成される。
【００３７】
下面パネル用差込部１８は、右収容部１０Ａの右後面パネル部１４Ａおよび左収容部１０Ｂの左後面パネル部１４Ｂに沿って差し込んで下面パネル部１６を右収容部１０Ａおよび左収容部１０Ｂに留めるためのものである。下面パネル用差込部１８は、罫線Ｋ５２を挟んで下面パネル部１６に連続して設けられ、縦Ｗ３、横Ｌ１の矩形に円弧部３３Ａ，３３Ｂ、嵌合部３３Ｃを備えてなる。円弧部３３Ａ，３３Ｂは、下面パネル用差込部１８の下側両角部（罫線Ｋ５２と反対側）に円弧状に形成される。嵌合部３３Ｃは、切り込み３３Ｃ１を備え、下面パネル部１６を閉じて下面パネル用差込部１８を右後面パネル部１４Ａと左後面パネル部１４Ｂとの間に差し込んだとき、切り込み３３Ｃ１が切り込みＣ２に嵌合するようになっている。なお、切り込み３３Ｃ１は、下面パネル用差込部１８の幅方向の略中央（幅Ｌ１の略中間位置）に形成される。
【００３８】
右外側面パネル部１３Ａと罫線Ｋ６１を挟んで右上フラップ２０Ａを連続して設ける。右上フラップ２０Ａは、矩形のパネルに切り欠き３４Ａを備えてなる。なお、右上フラップ２０Ａと上面パネル部１１とは切断されており、連続して形成されていない。左外側面パネル部１３Ｂと罫線Ｋ６２を挟んで左上フラップ２０Ｂを連続して設ける。左上フラップ２０Ｂは、矩形のパネルに切り欠き３４Ｂを備えてなる。なお、左上フラップ２０Ｂと上面パネル部１１とは切断されており、連続して形成されていない。
【００３９】
右外側面パネル部１３Ａと罫線Ｋ７１を挟んで右下フラップ２１Ａを連続して設ける。右下フラップ２１Ａは、矩形のパネルに切り欠き３５Ａを備えてなる。なお、右下フラップ２１Ａと下面パネル部１６とは切断されており、連続して形成されていない。左外側面パネル部１３Ｂと罫線Ｋ７２を挟んで左下フラップ２１Ｂを連続して設ける。左下フラップ２１Ｂは、矩形のパネルに切り欠き３５Ｂを備えてなる。なお、左下フラップ２１Ｂと下面パネル部１６とは切断されており、連続して形成されていない。
【００４０】
右内側面パネル部１５Ａの、右後面パネル部１４Ａとは反対側には、右接合部１９Ａを備える。右接合部１９Ａと右内側面パネル部１５Ａとは、罫線Ｋ８１および切り込みＣ３を挟んで連続して形成されている。罫線Ｋ８１は所定の間隔をもって不連続に形成されている。また、切り込みＣ３も所定の間隔をもって不連続に形成されている。さらに、罫線Ｋ８１と切り込みＣ３とはそれぞれ一直線上となるように、かつ、互い違いとなるように形成される。
【００４１】
左内側面パネル部１５Ｂの、左後面パネル部１４Ｂとは反対側には、左接合部１９Ｂを備える。左接合部１９Ｂと左内側面パネル部１５Ｂとは、罫線Ｋ８２および切り込みＣ３を挟んで連続して形成されている。罫線Ｋ８２は所定の間隔をもって不連続に形成されている。また、切り込みＣ３も所定の間隔をもって不連続に形成されている。さらに、罫線Ｋ８２と切り込みＣ３とはそれぞれ一直線上となるように、かつ、互い違いとなるように形成される。
【００４２】
右接合部１９Ａと左接合部１９Ｂとはそれぞれ上下角部に三角形状の切り欠き３６を備える。
【００４３】
右収容部１０Ａと左収容部１０Ｂとは、それぞれ固有部材（右収容部１０Ａは、右外側面パネル部１３Ａ、右後面パネル部１４Ａ、右内側面パネル部１５Ａ、右上フラップ２０Ａ、右下フラップ２１Ａ、右接合部１９Ａ、左収容部１０Ｂは、左外側面パネル部１３Ｂ、左後面パネル部１４Ｂ、左内側面パネル部１５Ｂ、左上フラップ２０Ｂ、左下フラップ２０Ｂ、左接合部１９Ｂ）に加えて、上面パネル部１１、正面パネル部１２、下面パネル部１６、上面パネル用差込部１７、下面パネル用差込部１８を共通の部材として備える。すなわち、上面パネル部１１は、右収容部１０Ａと左収容部１０Ｂに共通して用いられるため、右収容部１０Ａの上面パネル部１１と左収容部１０Ｂの上面パネル部１１とは一体に形成されている。正面パネル部１２、下面パネル部１６、上面パネル用差込部１７、下面パネル用差込部１８についても同様である。なお、紙の目の方向は、図３，４において横方向とする。
【００４４】
次に、収納箱１を組み立てて、お菓子を右収容部１０Ａおよび左収容部１０Ｂに充填する方法について説明する。まず、右接合部１９Ａを罫線Ｋ８１にて、右内側面パネル部１５Ａを覆うように内側に折り返すとともに、左接合部１９Ｂを罫線Ｋ８２にて、左内側面パネル部１５Ｂを覆うように内側に折り返す（図５（ａ））。そして、右後面パネル部１４Ａを罫線Ｋ３１にて、正面パネル部１２を覆うように内側に折り返すとともに、左後面パネル部１４Ｂを罫線Ｋ３２にて、正面パネル部１２を覆うように内側に折り返す（図５（ｂ））。このとき、右接合部１９Ａおよび左接合部１９Ｂにそれぞれ接着剤を塗布し、正面パネル１２の裏面の接着目標領域ＡＴ１，ＡＴ２それぞれ接着して固定する。
【００４５】
そして、罫線Ｋ３１が形成する稜線Ｒ１と、罫線Ｋ３２が形成する稜線Ｒ２とを両側から押し込んで、右外側面パネル部１３Ａ、左外側面パネル部１３Ｂ、右内側面パネル部１５Ａ、左内側面パネル部１５Ｂを立てるようにする（図６（ａ））。そして、右内側面パネル部１５Ａと左内側面パネル部１５Ｂを合わせるようにした状態を保持しながら、右下フラップ２１Ａおよび左下フラップ２１Ｂを内側に折り込んで、下面パネル部１６を罫線Ｋ１２で内側に折り込み、さらに、下面パネル用差込部１８を罫線Ｋ５２で内側に折り込んで、切り込み３３Ｃ１を切り込みＣ２に嵌め合わせて下面パネル部１６で収納箱１の下面を閉じる。なお、この例の収納箱１では、右接合部１９Ａ、左接合部１９Ｂを正面パネル１２の裏面に接着によって固定しているので、容易に下面パネル用差込部１８の切り込み３３Ｃ１を、右内側面パネル部１５Ａと左内側面パネル部１５Ｂとに形成された切り込みＣ２に嵌め合わせることができる。
【００４６】
そして、図６（ｂ）に示すように、２つの異なる種類のお菓子（内容物）ＣＯ１，ＣＯ２をそれぞれ右収容部１０Ａ、左収容部１０Ｂに挿入する（なお、お菓子ＣＯ１，ＣＯ２は同じものであってもよい）。さらに、右内側面パネル部１５Ａと左内側面パネル部１５Ｂを合わせるようにした状態を保持しながら、右上フラップ２０Ａおよび左上フラップ２０Ｂを内側に折り込んで、上面パネル部１１を罫線Ｋ１１で内側に折り込み、加えて、上面パネル用差込部１７を罫線Ｋ５１で内側に折り込んで、切り込み３２Ｃ１を切り込みＣ１に嵌め合わせて上面パネル部１１で収納箱１の上面を閉じる。
【００４７】
収納箱１からお菓子ＣＯ１，ＣＯ２を取り出すには、左後面パネル部１４Ｂ、左内側面パネル部１５Ｂに形成された切り欠き３０Ａ，３０Ｂに見えている上面パネル用差込部１７に親指をあてて上方に向けてスライドさせて、右収容部１０Ａおよび左収容部１０Ｂから外す。すると、上面パネル部１１が開き、右収容部１０Ａ、左収容部１０Ｂが開放される。そして、所望のお菓子（ここでは、お菓子ＣＯ１）を取り出す。
【００４８】
蓋を閉める（すなわち、上面パネル部１１を閉じる）には、上面パネル用差込部１７の先端部を右収容部１０Ａの右後面パネル部１４Ａおよび左収容部１０Ｂの左後面パネル部１４Ｂに沿って差し込む。これによって、上面パネル部１１によって右収容部１０Ａと左収容部１０Ｂとが閉じる状態（蓋を閉めた状態）に留められる。
【００４９】
この例の収納箱１では、右内側面パネル部１５Ａと左内側面パネル部１５Ｂとを正面パネル部１２の裏面側の幅方向略中央に固定して備えるので、右内側面パネル部１５Ａと左内側面パネル部１５Ｂとが正面パネル部１２の裏面に沿ってずれることがない。また、右内側面パネル部１５Ａおよび左内側面パネル部１５Ｂと正面パネル部１２、右内側面パネル部１５Ａと右後面パネル部１４Ａ、左内側面パネル部１５Ｂと左後面パネル部１４Ｂとがそれぞれ略直角となるように保持しやすい。このため、収納箱１が厚み方向（すなわち、右内側面パネル部１５Ａと左内側面パネル部１５Ｂの幅方向）から押圧力を受けた場合に、右外側面パネル部１３Ａと左外側面パネル部１３Ｂに加えて、右内側面パネル部１５Ａと左内側面パネル部１５Ｂがこれに抵抗するように機能し、内容物が破損する可能性を低減することができる。したがって、壊れやすい内容物（例えば、お菓子など）を右収容部１０Ａおよび左収容部１０Ｂに収容することが可能となる。
【００５０】
図７〜９にはこの発明の別の例の収容箱１００を示す。収容箱１００には、ミシン目Ｍを備える点で前の例の収容箱１と異なる。収容箱１００は、２つの収容部、右収容部１０Ａ、左収容部１０Ｂを一体に備えてなる。収容箱１００は、正面パネル部１１２、右外側面パネル部１３Ａおよび左外側面パネル部１３Ｂ、右後面パネル部１４Ａおよび左後面パネル部１４Ｂ、右内側面パネル部１５Ａおよび左内側面パネル部１５Ｂ、上面パネル部１１１、上面パネル用差込部１１７、下面パネル部１１６、下面パネル用差込部１１８、右接合部１９Ａ、左接合部１９Ｂ、右上フラップ２０Ａおよび左上フラップ２０Ｂ、右下フラップ２１および左下フラップ２１Ｂなどで構成される。これらの部材のそれぞれの寸法は、前述の例と同様である。
【００５１】
上面パネル用差込部１１７、上面パネル部１１１、正面パネル部１１２、下面パネル部１１６、下面パネル用差込部１１８の幅方向の中央部には、一連のミシン目Ｍを備える。このミシン目Ｍは、切り込み３２Ｃ１，３３Ｃ１と同一線上に形成される。ミシン目Ｍは切断部と非切断部とで構成されるが、これらの長さや間隔は適宜設定できるものとする。接着目標領域ＡＴ１，ＡＴ２は、ミシン目Ｍと重ならないように設定される。換言すると、一定の距離２ｄをもって並列に右収容部１０Ａと左収容部１０Ｂを設け、両者の間にミシン目Ｍを設けるものである。その他の構成においては前述の例と同様であるので説明を省略する。また、収納箱１００を組み立てて、お菓子を右収容部１０Ａおよび左収容部１０Ｂに充填する方法についても、前述の例と同様であるので説明を省略する。
【００５２】
お菓子ＣＯ１，ＣＯ２をそれぞれ充填した右収容部１０Ａと左収容部１０Ｂ（収納箱１００）は、必要に応じて分離することができる（例えば、お菓子ＣＯ１を食べ終わったときや、お菓子ＣＯ１，ＣＯ２を分けて保管したいときなど）。この場合、図１０（ａ）に示すように収納箱１００を左右に引っ張る。すると、ミシン目Ｍに沿って断裂が形成されて右収容部１０Ａと左収容部１０Ｂとが分離する（図１０（ｂ））。箱を構成する６面全てを独立して備えるので、分離された右収容部１０Ａと左収容部１０Ｂは、それぞれ独立した収納箱として機能することができる。
【００５３】
図１１〜１４にはこの発明のさらに別の収納箱の一例を示す。この例の収納箱２００は、１つの板紙（ブランク）を適宜折り曲げて（縦長な）略直方体状に形成される。ブランクの材料としては、板紙の他に、紙を主体とした複合シート、プラスチックシートなど一定の厚みを持った折り曲げ性にすぐれた材料（部材）が挙げられる。
【００５４】
収納箱２００は、２つの収容部、右収容部２１０Ａ、左収容部２１０Ｂを一体に、かつ、一定の距離をもって並列に備えてなる。収容箱２００は、正面パネル部２１２、右外側面パネル部２１３Ａおよび左外側面パネル部２１３Ｂ、右後面パネル部２１４Ａおよび左後面パネル部２１４Ｂ、右内側面パネル部２１５Ａおよび左内側面パネル部２１５Ｂ、上面パネル部２１１、上面パネル用差込部２１７、下面パネル部２１６、下面パネル用差込部２１８、右接合部（のりしろ部）２１９Ａ、左接合部（のりしろ部）２１９Ｂ、右上フラップ２２０Ａおよび左上フラップ２２０Ｂ、右下フラップ２２１および左下フラップ２２１Ｂなどで構成される。
【００５５】
言い換えると、右収容部２１０Ａは、正面パネル部２１２、右外側面パネル部２１３Ａ、右後面パネル部２１４Ａ、右内側面パネル部２１５Ａ、上面パネル部２１１、上面パネル用差込部２１７、下面パネル部２１６、下面パネル用差込部２１８、右接合部２１９Ａ、右上フラップ２２０Ａ、右下フラップ２２１Ａを備える。また、左収容部２１０Ｂは、正面パネル部２１２、左外側面パネル部２１３Ｂ、左後面パネル部２１４Ｂ、左内側面パネル部２１５Ｂ、上面パネル部２１１、上面パネル用差込部２１７、下面パネル部２１６、下面パネル用差込部２１８、左接合部２１９Ｂ、左上フラップ２２０Ｂ、左下フラップ２２１Ｂを備える。
【００５６】
上面パネル部２１１は、収納箱２００の上面を塞ぐものであり、縦Ｗ２、横Ｌ１´の矩形に形成される。この上面パネル部２１１は、右収容部２１０Ａと左収容部２１０Ｂの上面を一体的に塞ぐものである。正面パネル部２１２は、収納箱２００の正面を塞ぐためのものであり、罫線Ｋ２１１を挟んで上面パネル部２１１に連続して設けられる。正面パネル部２１２は、縦Ｗ１、横Ｌ１´の矩形に形成される。この正面パネル部１２は、右収容部１０Ａと左収容部１０Ｂの正面を一体的に塞ぐものである。下面パネル部２１６は、収納箱２００の下方を塞ぐためのものであり、罫線Ｋ２１２を挟んで正面パネル部２１２に連続して設けられる。下面パネル部２１６は縦Ｗ２、横Ｌ１´の矩形に形成される。
【００５７】
上面パネル用差込部２１７は、右収容部２１０Ａの右後面パネル部２１４Ａおよび左収容部２１０Ｂの左後面パネル部２１４Ｂに沿って差し込んで上面パネル部２１１を右収容部２１０Ａおよび左収容部２１０Ｂに留めるためのものである。上面パネル用差込部２１７は、罫線Ｋ２５１を挟んで上面パネル部２１１に連続して設けられ、縦Ｗ４´、横Ｌ１´の矩形に円弧部２３２Ａ，２３２Ｂ，２３２Ｃ，２３２Ｄ、間隙部２３２Ｅを備えてなる。間隙部２３２Ｅは、上面パネル用差込部２１７の上端のほぼ中央部に形成される切り欠きである。この間隙部２３２Ｅを挟んで上面パネル用差込部２１７の上端部は上端右部２１７ＵＡ，上端左部２１７ＵＢの２つに分割される（図１５にて後述）。
【００５８】
下面パネル用差込部２１８は、右収容部２１０Ａの右後面パネル部２１４Ａおよび左収容部２１０Ｂの左後面パネル部２１４Ｂに沿って差し込んで下面パネル部２１６を右収容部２１０Ａおよび左収容部２１０Ｂに留めるためのものである。下面パネル用差込部２１８は、罫線Ｋ２５２を挟んで下面パネル部２１６に連続して設けられ、縦Ｗ３´、横Ｌ１´の矩形に円弧部２３３Ａ，２３３Ｂ，２３３Ｃ，２３３Ｄ、間隙部２３３Ｅを備えてなる。間隙部２３３Ｅは、下面パネル用差込部２１８の上端のほぼ中央部に形成される切り欠きである。この間隙部２３３Ｅを挟んで下面パネル用差込部２１８の下端部は下端右部２１８ＤＡ，下端左部２１８ＤＢの２つに分割される（図１５にて後述）。
【００５９】
上面パネル用差込部２１７、上面パネル部２１１、正面パネル部２１２、下面パネル部２１６、下面パネル用差込部２１８の中央には、２つのミシン目によって構成されるジッパーＺが形成される。ジッパーＺは、縦Ｗ５、横Ｌ７に形成される（Ｌ７＋２×Ｌ６＝Ｌ１´である。ジッパーＺの詳細については図１５にて後述）。
【００６０】
正面パネル２１２の裏面側で、ジッパーＺの両側にある符号ＡＴ１´，ＡＴ２´は接着目標領域であり、それぞれ、右接合部２１９Ａ（後述）、左接合部２１９Ｂ（後述）を接着するものである（接着目標領域ＡＴ１´，ＡＴ２´は、正面パネル２１２のジッパーＺの両側で、かつジッパーＺに沿って設定する）。
【００６１】
右外側面パネル部２１３Ａは、収納箱２００の外側面を塞ぐためのものであり、罫線Ｋ２２１を挟んで正面パネル部２１２に連続して設けられる。左外側面パネル部２１３Ｂは、収納箱２００の外側面を塞ぐためのものであり、罫線Ｋ２２２を挟んで正面パネル部２１２に連続して設けられる。右外側面パネル部２１３Ａおよび左外側面パネル部２１３Ｂはそれぞれ、縦Ｗ１、横Ｌ２の矩形に形成される。
【００６２】
右後面パネル部２１４Ａは、収納箱２００の後面の右部分を塞ぐためのものであり、罫線Ｋ２３１を挟んで右外側面パネル部２１３Ａに連続して設けられる。右後面パネル部２１４Ａは、縦Ｗ１、横Ｌ３´の矩形に切り欠き２３０Ａを備えてなる。切り欠き２３０Ａは、右後面パネル部２１４Ａの上側角部で、かつ、罫線Ｋ２３１と反対側に円弧状に形成される。また、右後面パネル部２１４Ａの上下端に切り込みＣ１，Ｃ２を備える。切り込みＣ１は切り欠き２３０Ａに連続して形成される。一方、切り込みＣ２は右後面パネル部２１４Ａの下端から上部に向けて形成される。切り込みＣ１，Ｃ２の終点では、所定長さだけ右後面パネル部２１４Ａの内側に入った位置に罫線Ｋ２４１が形成される。
【００６３】
一方、左後面パネル部２１４Ｂは、収納箱２００の後面の左部分を塞ぐためのものであり、罫線Ｋ２３２を挟んで左外側面パネル部２１３Ｂに連続して設けられる。左後面パネル部２１４Ｂは、縦Ｗ１、横Ｌ３´の矩形に切り欠き２３０Ｂを備えてなる。切り欠き２３０Ｂは、左後面パネル部２１４Ｂの上側角部で、かつ、罫線Ｋ２３２と反対側に円弧状に形成される。また、左後面パネル部２１４Ｂの上下端に切り込みＣ１，Ｃ２を備える。切り込みＣ１は切り欠き２３０Ｂに連続して形成される。一方、切り込みＣ２は左後面パネル部２１４Ｂの下端から上部に向けて形成される。切り込みＣ１，Ｃ２の終点では、所定長さだけ左後面パネル部２１４Ｂの内側に入った位置に罫線Ｋ２４２が形成される。
【００６４】
右内側面パネル部２１５Ａは、収納箱２００の内側面を塞ぐためのものであり、罫線Ｋ２４１を挟んで右後面パネル部２１４Ａに連続して設けられる。左内側面パネル部２１５Ｂは、収納箱２００の内側面を塞ぐためのものであり、罫線Ｋ２４２を挟んで左後面パネル部２１４Ｂに連続して設けられる。右内側面パネル部２１５Ａ、左内側面パネル部２１５Ｂはそれぞれ、縦Ｗ１、横Ｌ４の矩形に円弧部２３１Ａ，２３１Ｂを備えてなる。円弧部２３１Ａは、右内側面パネル部２１５Ａの上側角部で、かつ、罫線Ｋ２３１側（すなわち、切り欠き２３０Ａ側）に円弧状に形成される。円弧部２３１Ｂは、左内側面パネル部２１５Ｂの上側角部で、かつ、罫線Ｋ２３２側（すなわち、切り欠き２３０Ｂ側）に円弧状に形成される。なお、右内側面パネル部２１５Ａおよび左内側面パネル部２１５Ｂは、収納箱２００の内側面を構成するので、これらそれぞれと対向する位置にある右外側面パネル部２１３Ａおよび左外側面パネル部２１３Ｂとはほぼ同一の横幅となる。
【００６５】
右外側面パネル部２１３Ａと罫線Ｋ２６１を挟んで右上フラップ２２０Ａを連続して設ける。右上フラップ２２０Ａは、矩形のパネルに切り欠き２３４Ａを備えてなる。なお、右上フラップ２２０Ａと上面パネル部２１１とは切断されており、連続して形成されていない。左外側面パネル部２１３Ｂと罫線Ｋ２６２を挟んで左上フラップ２２０Ｂを連続して設ける。左上フラップ２２０Ｂは、矩形のパネルに切り欠き２３４Ｂを備えてなる。なお、左上フラップ２２０Ｂと上面パネル部２１１とは切断されており、連続して形成されていない。
【００６６】
右外側面パネル部２１３Ａと罫線Ｋ２７１を挟んで右下フラップ２２１Ａを連続して設ける。右下フラップ２２１Ａは、矩形のパネルに切り欠き２３５Ａを備えてなる。なお、右下フラップ２２１Ａと下面パネル部２１６とは切断されており、連続して形成されていない。左外側面パネル部２１３Ｂと罫線Ｋ２７２を挟んで左下フラップ２２１Ｂを連続して設ける。左下フラップ２２１Ｂは、矩形のパネルに切り欠き２３５Ｂを備えてなる。なお、左下フラップ２２１Ｂと下面パネル部２１６とは切断されており、連続して形成されていない。
【００６７】
右内側面パネル部２１５Ａの、右後面パネル部２１４Ａとは反対側には、右接合部２１９Ａを備える。右接合部２１９Ａと右内側面パネル部２１５Ａとは、罫線Ｋ２８１および切り込みＣ３を挟んで連続して形成されている。罫線Ｋ２８１は所定の間隔をもって不連続に形成されている。また、切り込みＣ３も所定の間隔をもって不連続に形成されている。さらに、罫線Ｋ２８１と切り込みＣ３とはそれぞれ一直線上となるように、かつ、互い違いとなるように形成される。
【００６８】
左内側面パネル部２１５Ｂの、左後面パネル部２１４Ｂとは反対側には、左接合部２１９Ｂを備える。左接合部２１９Ｂと左内側面パネル部２１５Ｂとは、罫線Ｋ２８２および切り込みＣ３を挟んで連続して形成されている。罫線Ｋ２８２は所定の間隔をもって不連続に形成されている。また、切り込みＣ３も所定の間隔をもって不連続に形成されている。さらに、罫線Ｋ２８２と切り込みＣ３とはそれぞれ一直線上となるように、かつ、互い違いとなるように形成される。
【００６９】
右接合部２１９Ａと左接合部２１９Ｂとはそれぞれ上下角部に三角形状の切り欠き２３６を備える。
【００７０】
右収容部２１０Ａと左収容部２１０Ｂとは、それぞれ固有部材（右収容部２１０Ａは、右外側面パネル部２１３Ａ、右後面パネル部２１４Ａ、右内側面パネル部２１５Ａ、右上フラップ２２０Ａ、右下フラップ２２１Ａ、右接合部２１９Ａ、左収容部２１０Ｂは、左外側面パネル部２１３Ｂ、左後面パネル部２１４Ｂ、左内側面パネル部２１５Ｂ、左上フラップ２２０Ｂ、左下フラップ２２０Ｂ、左接合部２１９Ｂ）に加えて、上面パネル部２１１、正面パネル部２１２、下面パネル部２１６、上面パネル用差込部２１７、下面パネル用差込部２１８を共通の部材として備える。すなわち、上面パネル部２１１は、右収容部２１０Ａと左収容部２１０Ｂに共通して用いられるため、右収容部２１０Ａの上面パネル部２１１と左収容部２１０Ｂの上面パネル部２１１とは一体に形成されている。正面パネル部２１２、下面パネル部２１６、上面パネル用差込部２１７、下面パネル用差込部２１８についても同様である。なお、紙の目の方向は、図１３において横方向とする。
【００７１】
図１５（ａ），（ｂ）にはジッパーＺの詳細を示す。上面パネル用差込部２１７の上端部は間隙部２３２Ｅを挟んで上端右部２１７ＵＡ，上端左部２１７ＵＢの２つに分割される。上端右部２１７ＵＡの両角は円弧状に切り取られて、円弧部２３２Ａ，２３２Ｂとなる。上端左部２１７ＵＢの両角は円弧状に切り取られて、円弧部２３２Ｃ，２３２Ｄとなる。下面パネル用差込部２１８の下端部は間隙部２３３Ｅを挟んで下端右部２１８ＤＡ，下端左部２１８ＤＢの２つに分割される。下端右部２１８ＤＡの両角は円弧状に切り取られて、円弧部２３３Ａ，２３３Ｂとなる。下端左部２１８ＤＢの両角は円弧状に切り取られて、円弧部２３３Ｃ，２３３Ｄとなる。
【００７２】
間隙部２３２Ｅに連続してジッパーＺの始点ＺＳを、間隙部２３３Ｅに連続してジッパーＺの終点ＺＥを形成する（なお、始点と終点は逆であってもよい）。ジッパーＺは、略くの字状の誘導部ＺＡ１と直線状の追随部ＺＡ２とでジッパーユニットＺＡを構成し、このジッパーユニットＺＡを複数セット連続して設けることで形成される。
【００７３】
ジッパーユニットＺＡは、上面パネル用差込部２１７の上辺２１７ＵＬから所定量Ｄ３だけ内側に入った位置から形成される（なお、図１５（ａ）では、追随部ＺＡ２が始点ＺＳ付近に形成されているが、これに限定されるものではない）。そして、下面パネル用差込部２１８の下辺２１８ＢＬから所定量Ｄ４だけ内側に入った位置まで形成される（なお、Ｄ３＝Ｄ４であってもよい）。また、隣接するジッパーユニットＺＡは所定の間隔Ｄ５を隔てて形成される。
【００７４】
次に、収納箱２００を組み立てて、お菓子を右収容部２１０Ａおよび左収容部２１０Ｂに充填する方法について説明する。まず、右接合部２１９Ａを罫線Ｋ２８１にて、右内側面パネル部２１５Ａを覆うように内側に折り返すとともに、左接合部２１９Ｂを罫線Ｋ２８２にて、左内側面パネル部２１５Ｂを覆うように内側に折り返す（図１６（ａ））。そして、右後面パネル部２１４Ａを罫線Ｋ２３１にて、正面パネル部２１２を覆うように内側に折り返すとともに、左後面パネル部２１４Ｂを罫線Ｋ２３２にて、正面パネル部２１２を覆うように内側に折り返す（図１６（ｂ））。このとき、右接合部２１９Ａおよび左接合部２１９Ｂにそれぞれ接着剤を塗布し、正面パネル２１２の裏面の接着目標領域ＡＴ１´，ＡＴ２´それぞれ接着して固定する。
【００７５】
そして、罫線Ｋ２３１が形成する稜線Ｒ１´と、罫線Ｋ２３２が形成する稜線Ｒ２´とを両側から押し込んで、右外側面パネル部２１３Ａ、左外側面パネル部２１３Ｂ、右内側面パネル部２１５Ａ、左内側面パネル部２１５Ｂを立てるようにする（図１７（ａ））。そして、右下フラップ２２１Ａおよび左下フラップ２２１Ｂを内側に折り込んで、下面パネル部２１６を罫線Ｋ２１２で内側に折り込み、さらに、下面パネル用差込部２１８を罫線Ｋ２５２で内側に折り込んで、下端右部２１８ＤＡと下端左部２１８ＤＢをそれぞれ、右収容部２１０Ａ，２１０Ｂに差し込んで、下面パネル部２１６で収納箱２００の下面を閉じる。
【００７６】
そして、図１７（ｂ）に示すように、２つの異なる種類のお菓子ＣＯ１，ＣＯ２をそれぞれ右収容部２１０Ａ、左収容部２１０Ｂに挿入する（なお、お菓子ＣＯ１，ＣＯ２は同じものであってもよい）。さらに、右上フラップ２２０Ａおよび左上フラップ２２０Ｂを内側に折り込んで、上面パネル部２１１を罫線Ｋ２１１で内側に折り込み、さらに、上面パネル用差込部２１７を罫線Ｋ２５１で内側に折り込んで、上端右部２１７ＵＡと上端左部２１７ＵＢをそれぞれ、右収容部２１０Ａ，２１０Ｂに差し込んで、上面パネル部２１１で収納箱２００の上面を閉じる。
【００７７】
収納箱２００からお菓子ＣＯ１，ＣＯ２を取り出すには、左後面パネル部２１４Ｂ、左内側面パネル部２１５Ｂに形成された切り欠き２３０Ａ，２３０Ｂに見えている上面パネル用差込部２１７に親指をあてて上方に向けてスライドさせて、右収容部２１０Ａおよび左収容部２１０Ｂから外す。すると、上面パネル部２１１が開き、右収容部２１０Ａ、左収容部２１０Ｂが開放される。そして、所望のお菓子（ここでは、お菓子ＣＯ１）を取り出す。
【００７８】
蓋を閉める（すなわち、上面パネル部２１１を閉じる）には、上面パネル用差込部２１７の先端部を右収容部２１０Ａの右後面パネル部２１４Ａおよび左収容部２１０Ｂの左後面パネル部２１４Ｂに沿って差し込む。これによって、上面パネル部２１１によって右収容部２１０Ａと左収容部２１０Ｂとが閉じる状態（蓋を閉めた状態）に留められる。
【００７９】
なお、お菓子ＣＯ１，ＣＯ２をそれぞれ充填した右収容部２１０Ａと左収容部２１０Ｂ（収納箱２００）は、必要に応じて分離することができる（例えば、お菓子ＣＯ１を食べ終わったときや、お菓子ＣＯ１，ＣＯ２を分けて保管したいときなど）。この場合、ジッパーＺの始点ＺＳまたは終点ＺＥを指でつまんで、ジッパーＺに沿って引っぱる。すると、ジッパーＺが収納箱２００から外れ、右収容部２１０Ａと左収容部２１０Ｂとが分離する。右収容部２１０Ａと左収容部２１０Ｂとの間にジッパーＺを設けることで、右収容部１０Ａと左収容部１０Ｂとの間にミシン目Ｍを設けた前の例に比べて、いっそう確実に右収容部２１０Ａと左収容部２１０Ｂとの間に断裂を形成することができる。したがて、右収容部２１０Ａと左収容部２１０Ｂ者をいっそう容易に分離することができる。
【００８０】
この例の収納箱２００では、右内側面パネル部２１５Ａと左内側面パネル部２１５Ｂとを正面パネル部２１２の裏面側の幅方向略中央に固定して備えるので、右内側面パネル部２１５Ａおよび左内側面パネル部２１５Ｂと正面パネル部２１２、右内側面パネル部２１５Ａと右後面パネル部２１４Ａ、左内側面パネル部２１５Ｂと左後面パネル部２１４Ｂとがそれぞれ略直角となるように保持しやすい。このため、収納箱２００が厚み方向（すなわち、右内側面パネル部２１５Ａと左内側面パネル部２１５Ｂの幅方向）から押圧力を受けた場合に、右外側面パネル部２１３Ａと左外側面パネル部２１３Ｂに加えて、右内側面パネル部２１５Ａと左内側面パネル部２１５Ｂがこれに抵抗するように機能し、内容物が破損する可能性を低減することができる。したがって、壊れやすい内容物（例えば、お菓子など）を右収容部２１０Ａおよび左収容部２１０Ｂに収容することが可能となる。
【産業上の利用可能性】
【００８１】
本発明において、収容箱に収容する内容物はお菓子に限定されるものではない。また、本発明の収容箱は、お菓子などを入れる比較的小型の収容箱はもとより、大型の収容箱にも適用しうる。
【符号の説明】
【００８２】
１，１００，２００  収納箱
１０Ａ，２１０Ａ  右収容部
１０Ｂ，２１０Ｂ  左収容部
１１，１１１，２１１  上面パネル部
１２，１１２，２１２  正面パネル部
１３Ａ，２１３Ａ  右外側面パネル部
１３Ｂ，２１３Ｂ  左外側面パネル部
１４Ａ，２１４Ａ  右後面パネル部
１４Ｂ，２１４Ｂ  左後面パネル部
１５Ａ，２１５Ａ  右内側面パネル部
１５Ｂ，２１５Ｂ  左内側面パネル部
１６，１１６，２１６  下面パネル部
１７，１１７，２１７  上面パネル用差込部
１８，１１８，２１８  下面パネル用差込部
１９Ａ，２１９Ａ  右接合部
１９Ｂ，２１９Ｂ  左接合部
２０Ａ，２２０Ａ  右上フラップ
２０Ｂ，２２０Ｂ  左上フラップ
２１Ａ，２２１Ａ  右下フラップ
２１Ｂ，２２１Ｂ  左下フラップ
３０Ａ，３０Ｂ，３４Ａ，３４Ｂ，３５Ａ，３５Ｂ，３６，２３０Ａ，２３０Ｂ，２３４Ａ，２３４Ｂ，２３５Ａ，２３５Ｂ，２３６  切り欠き
３１Ａ，３１Ｂ，３２Ａ，３２Ｂ，３３Ａ，３３Ｂ，２３１Ａ，２３１Ｂ，２３２Ａ，２３２Ｂ，２３３Ａ，２３３Ｂ  円弧部
３２Ｃ  嵌合部
３２Ｃ１，３３Ｃ１  切り込み
２１７ＵＡ  上端右部
２１７ＵＢ  上端左部
２１７ＵＬ  上辺
２１８ＢＬ  下辺
２１８ＤＡ  下端右部
２１８ＤＢ  下端左部
２３２Ｅ，２３３Ｅ  間隙部
ＡＴ１，ＡＴ２，ＡＴ１´，ＡＴ２´  接着目標領域
Ｃ１，Ｃ２，Ｃ３  切り込み
ＣＯ１，ＣＯ２  お菓子（内容物）
Ｋ１１，Ｋ１２，Ｋ２１、Ｋ２２，Ｋ３１，Ｋ３２，Ｋ４１，Ｋ４２、Ｋ５１，Ｋ５２，Ｋ６１，Ｋ６２，Ｋ７１，Ｋ７２，Ｋ８１，Ｋ８２，Ｋ２１１，Ｋ２１２，Ｋ２２１、Ｋ２２２，Ｋ２３１，Ｋ２３２，Ｋ２４１，Ｋ２４２、Ｋ２５１，Ｋ２５２，Ｋ２６１，Ｋ２６２，Ｋ２７１，Ｋ２７２，Ｋ２８１，Ｋ２８２  罫線
Ｍ  ミシン目
Ｒ１，Ｒ２，Ｒ１´，Ｒ２´
Ｚ  ジッパー
ＺＡ  ジッパーユニット
ＺＡ１  誘導部
ＺＡ２  追随部
ＺＳ  （ジッパーの）始点
ＺＥ  （ジッパーの）終点
【図１】
0005516111.tif 000002
【図２】
0005516111.tif 000003
【図３】
0005516111.tif 000004
【図４】
0005516111.tif 000005
【図５】
0005516111.tif 000006
【図６】
0005516111.tif 000007
【図７】
0005516111.tif 000008
【図８】
0005516111.tif 000009
【図９】
0005516111.tif 000010
【図１０】
0005516111.tif 000011
【図１１】
0005516111.tif 000012
【図１２】
0005516111.tif 000013
【図１３】
0005516111.tif 000014
【図１４】
0005516111.tif 000015
【図１５】
0005516111.tif 000016
【図１６】
0005516111.tif 000017
【図１７】
0005516111.tif 000018